(57)【特許請求の範囲】
【請求項１】
第１の通信回線を介してサーバ装置と通信をおこなう第１通信部と、
第２の通信回線を介して前記サーバ装置と通信をおこなう第２通信部と、
前記第１または第２の通信回線を利用して前記サーバ装置に記憶されたコンテンツをダウンロードするコンテンツ受信部と、
前記コンテンツのダウンロード中に、前記コンテンツ受信部が当該ダウンロードに利用する通信回線が前記第１の通信回線から前記第２の通信回線に切り替えられたか否かを判断する判断部と、
前記コンテンツ受信部が当該ダウンロードに利用する通信回線が前記第１の通信回線から前記第２の通信回線に切り替えられた、と前記判断部が判断した場合、ダウンロードされている前記コンテンツに対して前記サーバ装置が予め指定したメッセージを、当該端末装置の利用者に通知する通知部と
を備え、
前記通知部は、
前記コンテンツに埋め込まれて前記サーバ装置から送信されてきた前記メッセージを、当該端末装置の利用者に通知する
ことを特徴とする端末装置。
【請求項２】
前記コンテンツ受信部が当該ダウンロードに利用する通信回線が前記第１の通信回線から前記第２の通信回線に切り替えられた、と前記判断部が判断した場合、
前記コンテンツ受信部は、
予めおこなわれている設定にしたがって、または利用者に選択させることで、前記ダウンロードを中止するか継続するかを判断し、当該判断結果に応じて前記ダウンロードを中止または継続する
ことを特徴とする請求項１に記載の端末装置。
【請求項３】
第１の通信回線を介してサーバ装置と通信をおこなう第１通信部と、第２の通信回線を介して前記サーバ装置と通信をおこなう第２通信部と、前記第１または第２の通信回線を利用して前記サーバ装置に記憶されたコンテンツをダウンロードするコンテンツ受信部とを備える端末装置によるダウンロード制御方法であって、
前記コンテンツのダウンロード中に、前記コンテンツ受信部が当該ダウンロードに利用する通信回線が前記第１の通信回線から前記第２の通信回線に切り替えられたか否かを判断する判断工程と、
前記コンテンツ受信部が当該ダウンロードに利用する通信回線が前記第１の通信回線から前記第２の通信回線に切り替えられた、と前記判断工程で判断された場合、ダウンロードされている前記コンテンツに対して前記サーバ装置が予め指定したメッセージを、当該端末装置の利用者に通知する通知工程と
を備え、
前記通知工程では、
前記コンテンツに埋め込まれて前記サーバ装置から送信されてきた前記メッセージを、当該端末装置の利用者に通知する
ことを特徴とするダウンロード制御方法。
【請求項４】
第１の通信回線を介してサーバ装置と通信をおこなう第１通信部と、第２の通信回線を介して前記サーバ装置と通信をおこなう第２通信部と、前記第１または第２の通信回線を利用して前記サーバ装置に記憶されたコンテンツをダウンロードするコンテンツ受信部とを備える端末装置のコンピュータを、
前記コンテンツのダウンロード中に、前記コンテンツ受信部が当該ダウンロードに利用する通信回線が前記第１の通信回線から前記第２の通信回線に切り替えられたか否かを判断する判断手段と、
前記コンテンツ受信部が当該ダウンロードに利用する通信回線が前記第１の通信回線から前記第２の通信回線に切り替えられた、と前記判断手段が判断した場合、ダウンロードされている前記コンテンツに対して前記サーバ装置が予め指定したメッセージを、当該端末装置の利用者に通知する通知手段と
して機能させることを特徴とするプログラムであって、
前記通知手段は、
前記コンテンツに埋め込まれて前記サーバ装置から送信されてきた前記メッセージを、当該端末装置の利用者に通知する
ことを特徴とするプログラム。
【請求項５】
サーバ装置と、
前記サーバ装置からコンテンツをダウンロードする端末装置と
を備え、
前記端末装置は、
第１の通信回線を介してサーバ装置と通信をおこなう第１通信部と、
第２の通信回線を介して前記サーバ装置と通信をおこなう第２通信部と、
前記第１または第２の通信回線を利用して前記サーバ装置に記憶されたコンテンツをダウンロードするコンテンツ受信部と、
前記コンテンツのダウンロード中に、前記コンテンツ受信部が当該ダウンロードに利用する通信回線が前記第１の通信回線から前記第２の通信回線に切り替えられたか否かを判断する判断部と、
前記コンテンツ受信部が当該ダウンロードに利用する通信回線が前記第１の通信回線から前記第２の通信回線に切り替えられた、と前記判断部が判断した場合、ダウンロードされている前記コンテンツに対して前記サーバ装置が予め指定したメッセージを、当該端末装置の利用者に通知する通知部とを有し、
前記通知部は、
前記コンテンツに埋め込まれて前記サーバ装置から送信されてきた前記メッセージを、当該端末装置の利用者に通知し、
前記サーバ装置は、
前記端末装置がダウンロードしているコンテンツに対して、前記端末装置の利用者に通知するメッセージを指定するコンテンツ送信制御部を有する
ことを特徴とする通信システム。
【発明の詳細な説明】
【技術分野】
【０００１】
本発明は、端末装置、ダウンロード制御方法、プログラムおよび通信システムに関する。
【背景技術】
【０００２】
通信装置において、複数種類の通信回線のうちの或る通信回線を使用している際に、所定のイベントが発生した場合、自動的に他の通信回線に切り替える技術が考案されている（たとえば、特許文献１参照。）。
【先行技術文献】
【特許文献】
【０００３】
【特許文献１】特開２００２−２３２５８９号公報
【発明の概要】
【発明が解決しようとする課題】
【０００４】
しかしながら、上記特許文献１の記載の技術では、利用者は、通信回線が自動的に切り替わったことを認識することができない。このため、たとえば、ある通信回線を利用してコンテンツをダウンロードしている際に、この通信回線よりも通信速度が遅い通信回線に自動的に切り替えられた場合、利用者は、ダウンロードにかかる時間が遅くなることを知らずに、引き続きダウンロードが完了するまで待ち続けてしまう。
【０００５】
本発明の目的は、コンテンツのダウンロード中に通信回線が切り替わったことを利用者に認識させることにある。
【課題を解決するための手段】
【０００６】
上記課題を解決するため、本発明に係る端末装置は、第１の通信回線を介してサーバ装置と通信をおこなう第１通信部と、第２の通信回線を介して前記サーバ装置と通信をおこなう第２通信部と、前記第１または第２の通信回線を利用して前記サーバ装置に記憶されたコンテンツをダウンロードするコンテンツ受信部と、前記コンテンツのダウンロード中に、前記コンテンツ受信部が当該ダウンロードに利用する通信回線が前記第１の通信回線から前記第２の通信回線に切り替えられたか否かを判断する判断部と、前記コンテンツ受信部が当該ダウンロードに利用する通信回線が前記第１の通信回線から前記第２の通信回線に切り替えられた、と前記判断部が判断した場合、ダウンロードされている前記コンテンツに対して前記サーバ装置が予め指定したメッセージを、当該端末装置の利用者に通知する通知部とを備え、前記通知部は、前記コンテンツに埋め込まれて前記サーバ装置から送信されてきた前記メッセージを、当該端末装置の利用者に通知することを特徴とする。
【０００９】
好ましくは、前記コンテンツ受信部が当該ダウンロードに利用する通信回線が前記第１の通信回線から前記第２の通信回線に切り替えられた、と前記判断部が判断した場合、前記コンテンツ受信部は、予めおこなわれている設定にしたがって、または利用者に選択させることで、前記ダウンロードを中止するか継続するかを判断し、当該判断結果に応じて前記ダウンロードを中止または継続するとよい。
【００１０】
また、本発明に係るダウンロード制御方法は、第１の通信回線を介してサーバ装置と通信をおこなう第１通信部と、第２の通信回線を介して前記サーバ装置と通信をおこなう第２通信部と、前記第１または第２の通信回線を利用して前記サーバ装置に記憶されたコンテンツをダウンロードするコンテンツ受信部とを備える端末装置によるダウンロード制御方法であって、前記コンテンツのダウンロード中に、前記コンテンツ受信部が当該ダウンロードに利用する通信回線が前記第１の通信回線から前記第２の通信回線に切り替えられたか否かを判断する判断工程と、前記コンテンツ受信部が当該ダウンロードに利用する通信回線が前記第１の通信回線から前記第２の通信回線に切り替えられた、と前記判断工程で判断された場合、ダウンロードされている前記コンテンツに対して前記サーバ装置が予め指定したメッセージを、当該端末装置の利用者に通知する通知工程とを備え、前記通知工程では、前記コンテンツに埋め込まれて前記サーバ装置から送信されてきた前記メッセージを、当該端末装置の利用者に通知することを特徴とする。
【００１１】
また、本発明に係るプログラムは、第１の通信回線を介してサーバ装置と通信をおこなう第１通信部と、第２の通信回線を介して前記サーバ装置と通信をおこなう第２通信部と、前記第１または第２の通信回線を利用して前記サーバ装置に記憶されたコンテンツをダウンロードするコンテンツ受信部とを備える端末装置のコンピュータを、前記コンテンツのダウンロード中に、前記コンテンツ受信部が当該ダウンロードに利用する通信回線が前記第１の通信回線から前記第２の通信回線に切り替えられたか否かを判断する判断手段と、前記コンテンツ受信部が当該ダウンロードに利用する通信回線が前記第１の通信回線から前記第２の通信回線に切り替えられた、と前記判断手段が判断した場合、ダウンロードされている前記コンテンツに対して前記サーバ装置が予め指定したメッセージを、当該端末装置の利用者に通知する通知手段として機能させることを特徴とするプログラムであって、前記通知手段は、前記コンテンツに埋め込まれて前記サーバ装置から送信されてきた前記メッセージを、当該端末装置の利用者に通知することを特徴とする。
【００１２】
また、本発明に係る通信システムは、サーバ装置と、前記サーバ装置からコンテンツをダウンロードする端末装置とを備え、前記端末装置は、第１の通信回線を介してサーバ装置と通信をおこなう第１通信部と、第２の通信回線を介して前記サーバ装置と通信をおこなう第２通信部と、前記第１または第２の通信回線を利用して前記サーバ装置に記憶されたコンテンツをダウンロードするコンテンツ受信部と、前記コンテンツのダウンロード中に、前記コンテンツ受信部が当該ダウンロードに利用する通信回線が前記第１の通信回線から前記第２の通信回線に切り替えられたか否かを判断する判断部と、前記コンテンツ受信部が当該ダウンロードに利用する通信回線が前記第１の通信回線から前記第２の通信回線に切り替えられた、と前記判断部が判断した場合、ダウンロードされている前記コンテンツに対して前記サーバ装置が予め指定したメッセージを、当該端末装置の利用者に通知する通知部とを有し、前記通知部は、前記コンテンツに埋め込まれて前記サーバ装置から送信されてきた前記メッセージを、当該端末装置の利用者に通知し、前記サーバ装置は、前記端末装置がダウンロードしているコンテンツに対して、前記端末装置の利用者に通知するメッセージを指定するコンテンツ送信制御部を有することを特徴とする。
【発明の効果】
【００１３】
本発明によれば、サーバ側で指定したメッセージを端末装置から通知させることにより、コンテンツのダウンロード中に通信回線が自動的に切り替わったことを端末装置の利用者に認識させることができる。また、サーバ側で指定したメッセージを端末装置から通知させるか否か、すなわち、コンテンツのダウンロード中に通信回線が自動的に切り替わったことを端末装置の利用者に認識させるか否かを、コンテンツの送信元であるサーバ側から制御することができる。
【図面の簡単な説明】
【００１４】
【図１】実施形態に係る通信システム１０の構成を示す。
【図２】サーバ装置１１０の機能構成を示す。
【図３】端末装置１００の機能構成を示す。
【図４】サーバ装置１１０および端末装置１００による処理の手順を示す。
【図５】メッセージの送信例を示す。
【図６】端末装置１００によるメッセージの表示例を示す。
【図７】端末装置１００のハードウェア構成の一例を示す。
【図８】サーバ装置１１０のハードウェア構成の一例を示す。
【図９】メッセージの他の送信例を示す。
【図１０】端末装置１００によるメッセージの他の表示例を示す。
【図１１】端末装置１００によるメッセージの他の表示例を示す。
【図１２】格納部３０８に格納されているメッセージの一例を示す。
【発明を実施するための形態】
【００１５】
図１は、実施形態に係る通信システム１０の構成を示す。通信システム１０は、端末装置１００、サーバ装置１１０、ＬＴＥ（Long Term Evolution）回線１２２、および３Ｇ回線１２４を備える。
【００１６】
ＬＴＥ回線１２２は、３ＧＰＰ（3rd Generation Partnership Project）にて標準化されているＬＴＥ（Long Term Evolution）と呼ばれる方式のネットワークであり、第１の通信回線として機能する。基地局１３２は、ＬＴＥ回線１２２を構成する設備であり、ＬＴＥ回線１２２のアクセスポイントとして機能する。基地局１３２は、当該基地局１３２の通信エリア１３２Ａ内において、ＬＴＥ無線ネットワーク１２２Ｂに無線接続された端末装置との無線通信をおこなう。これにより、基地局１３２は、通信エリア１３２Ａ内に存在する端末装置を、ＬＴＥ無線ネットワーク１２２Ｂを介して、ＬＴＥ用コアネットワーク１２２Ａに接続させる。
【００１７】
３Ｇ回線１２４は、ＩＭＴ−２０００（International Mobile Telecommunication 2000）に準拠した３Ｇ（3rd Generation）と呼ばれる方式のネットワークであり、第２の通信回線として機能する。基地局１３４は、３Ｇ回線１２４を構成する設備であり、３Ｇ回線１２４のアクセスポイントとして機能する。基地局１３４は、当該基地局１３４の通信エリア１３４Ａ内において、３Ｇ無線ネットワーク１２４Ｂに無線接続された端末装置との無線通信をおこなう。これにより、基地局１３４は、通信エリア１３４Ａ内に存在する端末装置を、３Ｇ無線ネットワーク１２４Ｂを介して、３Ｇ用コアネットワーク１２４Ａに接続させる。
【００１８】
サーバ装置１１０は、動画などの複数のコンテンツを格納しており、通信システム１０を利用して、端末装置１００を含む複数の端末装置に対する、コンテンツのダウンロードサービスを提供する。サーバ装置１１０は、ＬＴＥ用コアネットワーク１２２Ａおよび３Ｇ用コアネットワーク１２４Ａの双方に、ＧＷ（ゲートウェイ）サーバ１２、および専用線やインターネットなどの通信回線１４を介して接続されている。たとえば、サーバ装置１１０は、ＬＴＥ回線１２２を介して端末装置１００からのダウンロード要求を受け取った場合、要求されたコンテンツを、ＬＴＥ回線１２２を介して端末装置１００へ送信する処理を開始する。一方、３Ｇ回線１２４を介して端末装置１００からのダウンロード要求を受け取った場合、要求されたコンテンツを、３Ｇ回線１２４を介して端末装置１００へ送信する処理を開始する。
【００１９】
端末装置１００は、ＬＴＥ回線１２２による通信と、３Ｇ回線１２４による通信との双方をおこなうことができる。たとえば、端末装置１００は、通信エリア１３２Ａ内において、基地局１３２との無線通信をおこなうことにより、基地局１３２を介してＬＴＥ回線１２２に接続し、ＬＴＥ回線１２２を利用してサーバ装置１１０との通信をおこない、サーバ装置１１０からコンテンツをダウンロードすることができる。また、端末装置１００は、通信エリア１３４Ａ内において、基地局１３４との無線通信をおこなうことにより、基地局１３４を介して３Ｇ回線１２４に接続し、３Ｇ回線１２４を利用してサーバ装置１１０との通信をおこない、サーバ装置１１０からコンテンツをダウンロードすることができる。ＬＴＥ回線１２２は、３Ｇ回線１２４よりも通信の速度が速い。したがって、端末装置１００は、ＬＴＥ回線１２２を介してコンテンツをダウンロードすることにより、３Ｇ回線１２４を介してコンテンツをダウンロードするよりも、ダウンロード時間を短縮することができる。端末装置１００は、ダウンロードしたコンテンツを当該端末装置１００が備えるメモリに一時的または恒久的に格納する。端末装置１００は、自動的にまたは利用者の指示により、メモリに格納されたコンテンツを再生し、利用者に視聴させることができる。端末装置１００の一例として、携帯電話機、ＰＤＡ（Personal Digital Assistants）、携帯ゲーム機、パーソナルコンピュータなどが挙げられる。
【００２０】
ここで、通信システム１０には、通信回線の切り替えを制御する通信回線制御システム（図示省略）が設けられている。端末装置１００がＬＴＥ回線１２２を利用してコンテンツをダウンロードしている場合、この通信回線制御システムが、ＬＴＥ回線１２２および３Ｇ回線１２４の通信状況に応じて、当該ダウンロードに利用する通信回線を３Ｇ回線１２４に切り替える場合がある。この技術は、網間ハンドオーバと呼ばれているものであり、たとえば、端末装置１００において、ＬＴＥ回線１２２との通信が切断された場合、もしくは、ＬＴＥ回線１２２からの電波が弱い場合などに、３Ｇ回線１２４を介した通信の状況が良好であれば、当該ダウンロードに利用する通信回線を３Ｇ回線１２４に切り替えるというものである。これにより、端末装置１００は、ＬＴＥ回線１２２の通信状況が悪くなった場合でも、３Ｇ回線１２４を利用し、継続してコンテンツをダウンロードすることができる。なお、ここでいう通信の状況の悪化とは、通信速度が遅くなったり、通信帯域が狭くなったりして、許容し得る速度や帯域を実現できなくなった状態を意味している。
【００２１】
図２は、サーバ装置１１０の機能構成を示す。サーバ装置１１０は、ＣＰＵ、メモリ、大容量記憶装置、および通信装置などを有するコンピュータであり、図２に示すような格納部２０２、コンテンツ送信制御部２０４、第３通信部２０６、および第４通信部２０８という各機能を備える。格納部１０２は、動画などの複数のコンテンツを格納する。第３通信部２０６は、ＬＴＥ回線１２２を介してコンテンツを送信する。第４通信部２０８は、３Ｇ回線１２４を介してコンテンツを送信する。
【００２２】
コンテンツ送信制御部２０４は、サーバ装置１１０によるコンテンツの送信を制御する。たとえば、コンテンツ送信制御部２０４は、端末装置１００から要求されたコンテンツを、格納部１０２から抽出し、抽出したコンテンツを第３通信部２０６を利用し、ＬＴＥ回線１２２を介して、当該コンテンツの要求元の端末装置１００に対して送信する処理を開始する。また、コンテンツ送信制御部２０４は、格納部１０２から抽出したコンテンツを、第４通信部２０８を利用し、３Ｇ回線１２４を介して、当該コンテンツの要求元の端末装置１００に対して送信する処理を開始する。たとえば、コンテンツ送信制御部２０４は、ＬＴＥ回線１２２を介してコンテンツが要求された場合、第３通信部２０６を利用してコンテンツを送信する処理を開始する。また、３Ｇ回線１２４を介してコンテンツが要求された場合、第４通信部２０８を利用してコンテンツを送信する処理を開始する。ただし、コンテンツの送信処理の開始後に、前述した通信回線の切り替えがなされた場合には、コンテンツ送信制御部２０４は切り替え後の通信回線を介してコンテンツを送信する。
【００２３】
ここで、コンテンツ送信制御部２０４は、コンテンツ送信制御部２０４が抽出したコンテンツと、所定のメッセージとを対応付けて端末装置１００に送信する。具体的には、コンテンツ送信制御部２０４は、コンテンツの中にメッセージを埋め込んで、コンテンツと所定のメッセージとを併せて端末装置１００に送信する。このメッセージの内容は、通信回線が切り替わったという内容であり、端末装置１００の利用者に通知されるものである。このメッセージは、格納部１０２に格納されている。コンテンツ送信制御部２０４は、コンテンツの中にメッセージを埋め込んで端末装置１００に送信することで、そのコンテンツに対してそのメッセージを指定する。
【００２４】
図３は、端末装置１００の機能構成を示す。端末装置１００は、ＣＰＵ、メモリ、大容量記憶装置、および通信装置などを有するコンピュータであり、図３に示すような第１通信部３０２、第２通信部３０４、コンテンツ受信部３０６、格納部３０８、コンテンツ再生部３１０、判断部３１２、および通知部３１４という各機能を備える。第１通信部３０２は、ＬＴＥ回線１２２を用いてサーバ装置１１０と通信をおこなう。第２通信部３０４は、３Ｇ回線１２４を用いてサーバ装置１１０と通信をおこなう。
【００２５】
コンテンツ受信部３０６は、ＬＴＥ回線１２２または３Ｇ回線１２４を利用して前記サーバ装置１１０に記憶されたコンテンツをダウンロードする。たとえば、コンテンツ受信部３０６は、第１通信部３０２を利用し、ＬＴＥ回線１２２を介して、サーバ装置１１０に対してコンテンツを要求する。または、コンテンツ受信部３０６は、第２通信部３０４を利用し、３Ｇ回線１２４を介して、サーバ装置１１０に対してコンテンツを要求する。そして、コンテンツ受信部３０６は、要求に応じてサーバ装置１１０から送信されたコンテンツを受信することで、コンテンツをダウンロードする。さらに、コンテンツ受信部３０６は、サーバ装置１１０からダウンロードしたコンテンツを格納部３０８へ格納する。
【００２６】
コンテンツ再生部３１０は、コンテンツを再生する。たとえば、コンテンツ再生部３１０は、利用者からのコンテンツ再生の指示の入力を受けて、指示されたコンテンツを格納部３０８から読み出し、読み出したコンテンツを再生する。他の例として、コンテンツ再生部３１０は、コンテンツのダウンロードが完了した直後に、このコンテンツを自動的に再生する。さらなる他の例として、コンテンツ再生部３１０は、コンテンツのダウンロードが部分的に完了するごとに、この部分的なコンテンツを順次自動的に再生する。コンテンツ再生部３１０によって再生されたコンテンツのうち、画像は、端末装置１００が備えるディスプレイ１５６０に表示され、音声は、端末装置１００が備えるスピーカ１５７０から出力される。
【００２７】
格納部３０８は、サーバ装置１１０からダウンロードされたコンテンツを格納する。格納部３０８は、コンテンツを一時的に格納するものであってもよく、恒久的に格納するものであってもよい。
【００２８】
判断部３１２は、ＬＴＥ回線１２２を利用したコンテンツのダウンロード中に、コンテンツ受信部３０６が当該ダウンロードに利用する通信回線がＬＴＥ回線１２２から３Ｇ回線１２４に切り替えられたか否かを判断する。たとえば、端末装置１００において、ＬＴＥ回線１２２との通信が切断された場合、もしくは、ＬＴＥ回線１２２の基地局１３２からの電波の受信電界強度が閾値よりも低い場合などに、３Ｇ回線１２４を介した通信の状況が良好であれば、通信回線制御システムは、当該ダウンロードに利用する通信回線を３Ｇ回線１２４に切り替える。判断部３１２は、この切り替え通知を通信回線制御システム等から受け取るか、もしくはこの切り替えを自動的に認識することにより、当該ダウンロードに利用する通信回線がＬＴＥ回線１２２から３Ｇ回線１２４に切り替えられことを判断する。当該ダウンロードに利用する通信回線が３Ｇ回線１２４に切り替えられると、コンテンツ受信部３０６は、コンテンツの残りの部分を３Ｇ回線１２４経由でダウンロードする。
【００２９】
通知部３１４は、当該ダウンロードに利用する通信回線がＬＴＥ回線１２２から３Ｇ回線１２４に切り替えられたと、判断部３１２が判断した場合、ダウンロード対象のコンテンツと対応付けてサーバ装置１１０から送信されたメッセージを、そのコンテンツに対してサーバ装置１１０が予め指定したメッセージであると特定し、これを端末装置１００の利用者に通知する。具体的には、通知部３１４は、ダウンロード中のコンテンツに埋めこまれてサーバ装置１１０から送信されたメッセージを、端末装置１００の利用者に通知する。たとえば、通知部３１４は、コンテンツから抽出した上記メッセージを、端末装置１００が備えるディスプレイ１５６０に表示させる。他の例として、通知部３１４は、上記メッセージを、端末装置１００が備えるスピーカ１５７０から音声出力させる。通知部３１４は、上記以外の方法によって、上記メッセージを、端末装置１００の利用者に通知してもよい。
【００３０】
図４は、サーバ装置１１０および端末装置１００による処理の手順を示す。まず、端末装置１００において利用者がコンテンツを要求する操作を行うと、コンテンツ受信部３０６が、第１通信部３０２を利用して、ＬＴＥ回線１２２を介して、サーバ装置１１０に対してコンテンツを要求する（ステップＳ４０２）。
【００３１】
サーバ装置１１０においては、コンテンツ送信制御部２０４が、ステップＳ４０２で要求されたコンテンツを、格納部１０２から抽出する（ステップＳ４０４）。次に、コンテンツ送信制御部２０４が、ステップＳ４０４で抽出されたコンテンツに、格納部２０２に格納されている所定のメッセージを埋め込む（ステップＳ４０６）。そして、コンテンツ送信制御部２０４が、ステップＳ４０６でメッセージが埋め込まれたコンテンツを、第３通信部２０６を利用し、ＬＴＥ回線１２２を介して、端末装置１００に対して送信する（ステップＳ４０８）。
【００３２】
端末装置１００においては、コンテンツ受信部３０６が、第１通信部３０２を利用し、ステップＳ４０８でサーバ装置１１０から送信されたコンテンツをＬＴＥ回線１２２を介して受信し、バッファリングする（ステップＳ４１０）。ここで、図５は、メッセージの送信例を示す。図５において、コンテンツ５００は、サーバ装置１００から端末装置１００へ送信されるコンテンツの一例である。コンテンツ５００には、端末装置１００において再生される動画データ５１０を有する。さらに、コンテンツ５００には、メッセージ５２０が埋め込まれている。このメッセージ５２０は、端末装置１００が通信回線を切り替えた後に、端末装置１００において表示されるメッセージである。
【００３３】
再び図４の説明に戻り、コンテンツ受信部３０６は、ステップＳ４０２で要求したコンテンツを全て受信したか否かを判断する（ステップＳ４１２）。ステップＳ４１２において、ステップＳ４０２で要求したコンテンツを全て受信したと判断した場合（ステップＳ４１２：Ｙｅｓ）、コンテンツ受信部３０６は、ステップＳ４１０で受信してバッファリングしておいたコンテンツを格納部３０８へ格納する（ステップＳ４２８）。
【００３４】
一方、ステップＳ４１２において、ステップＳ４０２で要求したコンテンツを全て受信していないと判断した場合（ステップＳ４１２：Ｎｏ）、判断部３１２が、コンテンツのダウンロードに利用する通信回線がＬＴＥ回線１２２から３Ｇ回線１２４に切り替えられたかを判断する（ステップＳ４１４）。ステップＳ４１４において、コンテンツのダウンロードに利用する通信回線がＬＴＥ回線１２２から３Ｇ回線１２４に切り替えられていない、と判断した場合（ステップＳ４１４：Ｎｏ）、端末装置１００は、引き続き、コンテンツ受信部３０６により、サーバ装置１１０から送信されたコンテンツをＬＴＥ回線１２２を介して受信する（ステップＳ４１０）。ステップＳ４１４において、コンテンツのダウンロードに利用する通信回線が３Ｇ回線１２４に切り替えられた、と判断した場合（ステップＳ４１４：Ｙｅｓ）、端末装置１００は、処理をステップＳ４１６へ進める。
【００３５】
ステップＳ４１６では、通知部３１４が、ダウンロード中のコンテンツに埋め込まれているメッセージをそのコンテンツから抽出し、端末装置１００の利用者に通知する（ステップＳ４１６）。ここで、図６は、端末装置１００によるメッセージの表示例を示す。図６に示す画面６００は、コンテンツのダウンロード中に、当該ダウンロードに利用する通信回線が３Ｇ回線１２４に切り替えられたことにより、端末装置１００のディスプレイに表示された画面である。端末装置１００のディスプレイにおいて、画面６００の上方には、ステータスバー６１０が表示されている。ステータスバー６１０には、端末装置１００の電池残量を示すアイコン６１２、ＬＴＥ回線１２２の通信状況を示すアイコン６１４、および３Ｇ回線１２４の通信状況を示すアイコン６１６が表示されている。そして、画面６００の中央には、「通信回線が３Ｇ回線に切り替わりました」という、通信回線が切り替えられた旨のメッセージが表示されている。利用者は、このメッセージを見て、通信速度が速いＬＴＥ回線から通信速度が遅い３Ｇ回線に切り替えられたことを知ることができる。
【００３６】
図４の説明に戻り、コンテンツ受信部３０６が、上記のようなメッセージを表示した後、サーバ装置１１０においては、コンテンツ送信制御部２０４が、ステップＳ４２０で要求されたコンテンツを、第４通信部２０８を利用し、３Ｇ回線１２４を介して、端末装置１００に対して送信する（ステップＳ４２２）。これに応じて、端末装置１００においては、コンテンツ受信部３０６が、第２通信部３０４を利用し、ステップＳ４２２でサーバ装置１１０から送信されたコンテンツを、３Ｇ回線１２４を介して受信し、バッファリングする（ステップＳ４２４）。
【００３７】
そして、コンテンツ受信部３０６は、ステップＳ４０２で要求したコンテンツを全て受信したか否かを判断する（ステップＳ４２６）。ステップＳ４２６において、ステップＳ４０２で要求したコンテンツを全て受信したと判断した場合（ステップＳ４２６：Ｙｅｓ）、コンテンツ受信部３０６は、ステップＳ４２４で受信したコンテンツを格納部３０８へ格納する（ステップＳ４２８）。一方、ステップＳ４２６において、ステップＳ４０２で要求したコンテンツを全て受信していないと判断した場合（ステップＳ４２６：Ｎｏ）、端末装置１００は、ステップＳ４０２で要求したコンテンツを全て受信すべく、引き続き、コンテンツ受信部３０６により、コンテンツを受信する（ステップＳ４２４）。
【００３８】
図７は、端末装置１００のハードウェア構成の一例を示す。端末装置１００は、ＣＰＵ１５０５、ＲＯＭ１５１０、ＲＡＭ１５２０、内部メモリ１５２５、通信インターフェース１５３０、外部メモリドライブ１５４０、外部メモリ１５４２、入力デバイス１５５０、ディスプレイ１５６０、およびスピーカー１５７０を備える。
【００３９】
ＲＯＭ１５１０、ＲＡＭ１５２０、および内部メモリ１５２５は、各種データおよび各種プログラムを格納する。ＣＰＵ１５０５は、ＲＯＭ１５１０、ＲＡＭ１５２０、または内部メモリ１５２５に格納されたプログラムを実行することで、各種データ処理および各種ハードウェア制御をおこなう。
【００４０】
通信インターフェース１５３０は、通信ネットワークに接続し、通信ネットワークを介して外部との通信をおこなう。外部メモリドライブ１５４０は、外部メモリ１５４２に接続し、外部メモリ１５４２に対するデータの送受信をおこなう。外部メモリ１５４２としては、たとえば、メモリカードが挙げられる。
【００４１】
ディスプレイ１５６０は、各種表示データに応じた画像を表示する。ディスプレイ１５６０としては、たとえば、液晶ディスプレイ、有機ＥＬディスプレイなどが挙げられる。スピーカー１５７０は、各種音声データに応じた音を発する。入力デバイス１５５０は、利用者によって操作され、これにより、端末装置１００に対し、各種情報を入力する。入力デバイス１５５０としては、たとえば、マウス、キーボード、入力ボタン、タッチパネルなどが挙げられる。
【００４２】
ＣＰＵ１５０５が実行するプログラムは、たとえば、コンピュータ読み取り可能な記録媒体に格納されて端末装置１００に提供され、端末装置１００に格納される。また、ＣＰＵ１５０５が実行するプログラムは、外部装置から通信ネットワークを介して端末装置１００に提供され、端末装置１００に格納されてもよい。
【００４３】
たとえば、端末装置１００においては、通信インターフェース１５３０が、図３に示した第１通信部３０２および第２通信部３０４として機能する。また、ＲＯＭ１５１０、ＲＡＭ１５２０、内部メモリ１５２５、または外部メモリ１５４２が、図３に示した格納部３０８として機能する。また、ＣＰＵ１５０５が、ＲＯＭ１５１０、ＲＡＭ１５２０、内部メモリ１５２５、または外部メモリ１５４２に格納されているプログラムを実行することにより、図３に示したコンテンツ受信部３０６、コンテンツ再生部３１０、判断部３１２、および通知部３１４として機能する。
【００４４】
図８は、サーバ装置１１０のハードウェア構成の一例を示す。サーバ装置１１０は、ＣＰＵ２５０５、ＲＯＭ２５１０、ＲＡＭ２５２０、ＨＤ（ハードディスク）ドライブ２５２５、通信インターフェース２５３０、外部メモリドライブ２５４０、および外部メモリ２５４２を備える。
【００４５】
ＲＯＭ２５１０、ＲＡＭ２５２０、およびＨＤドライブ２５２５は、各種データおよび各種プログラムを格納する。ＣＰＵ２５０５は、ＲＯＭ２５１０、ＲＡＭ２５２０、またはＨＤドライブ２５２５に格納されたプログラムを実行することで、各種データ処理および各種ハードウェア制御をおこなう。
【００４６】
通信インターフェース２５３０は、通信ネットワークに接続し、通信ネットワークを介して外部との通信をおこなう。外部メモリドライブ２５４０は、外部メモリ２５４２に接続し、外部メモリ２５４２に対するデータの送受信をおこなう。外部メモリ２５４２としては、たとえば、メモリカードが挙げられる。外部メモリ２５４２は、フレキシブルディスク、ＣＤ、ＤＶＤ等の記録媒体であってもよい。
【００４７】
ＣＰＵ２５０５が実行するプログラムは、たとえば、コンピュータ読み取り可能な記録媒体に格納されてサーバ装置１１０に提供され、サーバ装置１１０に格納される。また、ＣＰＵ２５０５が実行するプログラムは、外部装置から通信ネットワークを介してサーバ装置１１０に提供され、サーバ装置１１０に格納されてもよい。
【００４８】
たとえば、サーバ装置１１０においては、ＲＯＭ２５１０、ＲＡＭ２５２０、ＨＤドライブ２５２５、または外部メモリ２５４２が、図２に示した格納部２０２として機能する。また、通信インターフェース２５３０が、図２に示した第３通信部２０６および第４通信部２０８として機能する。また、ＣＰＵ２５０５が、ＲＯＭ２５１０、ＲＡＭ２５２０、ＨＤドライブ２５２５、または外部メモリ２５４２に格納されているプログラムを実行することにより、図２に示したコンテンツ送信制御部２０４として機能する。
【００４９】
以上説明したように、本実施形態の端末装置１００は、コンテンツのダウンロードに利用する通信回線がＬＴＥ回線１２２から３Ｇ回線１２４に切り替えられた後に、コンテンツと対応付けられてサーバ装置１１０から送信されたメッセージを、端末装置１００の利用者に通知する。これにより、利用者に対し、コンテンツのダウンロード中に通信回線が自動的に切り替わったことを容易に認識させることができる。したがって、利用者が、通信回線の通信速度が高速から低速に切り替わったことでコンテンツのダウンロードにかかる時間が長くなることを知らずに、引き続きダウンロードが完了するまで長期間待ち続けてしまうこともない。
【００５０】
また、サーバ装置１１０は、端末装置１００によってダウンロードされるコンテンツに対して指定したメッセージを、端末装置１００に表示させることができるので、たとえば、ダウンロードされるコンテンツが大容量の場合は、ダウンロード時間が長期間化してしまう旨のメッセージや、ダウンロードの中止を推奨する旨のメッセージなど、ダウンロードされるコンテンツの特性や、ダウンロードに利用する通信回線などに応じた適切なメッセージを、端末装置１００に表示させることができる。また、サーバ１１０側で指定したメッセージを端末装置１００から通知させるか否か、すなわち、コンテンツのダウンロード中に通信回線が自動的に切り替わったことを端末装置１００の利用者に認識させるか否かを、コンテンツの送信元であるサーバ１１０側から制御することができる。
【００５１】
なお、本発明は、上記した形態での実施に限らず、以下のように変形させて実施してもよい。また、以下の変形例を組み合わせてもよい。
【００５２】
（変形例１）
サーバ装置１１０が格納し、端末装置１００へダウンロードされるコンテンツは、動画に限らず、文書データ、静止画像データ、音楽データ、またはこれらを組み合わせたものなど、利用者に提供し得るデータであればどのようなものであってもよい。
【００５３】
（変形例２）
サーバ装置１１０のコンテンツ送信制御部２０４は、コンテンツに埋め込む以外の方法で、コンテンツに対応付けてメッセージを送信してもよい。たとえば、コンテンツ送信制御部２０４は、コンテンツそのものにメッセージを埋め込むのではなく、そのコンテンツ以外のデータであって、端末装置に送信するデータの空き領域にメッセージを埋め込んで、コンテンツとメッセージとを同時に送信してもよい。これに応じて、端末装置１００の通知部３１４は、上記空き領域に埋め込まれて送信されたサーバ装置１１０からメッセージを、端末装置１００の利用者に通知してもよい。なお、コンテンツ送信制御部２０４は、少なくともコンテンツとメッセージとを対応付けて送信すればよく、上記以外の方法によってコンテンツおよびメッセージを送信してもよい。これに応じて、通知部３１４は、上記以外の方法によってサーバ装置１１０から送信されたメッセージを、端末装置１００の利用者に通知してもよい。
【００５４】
図９は、メッセージの他の送信例を示す。図９において、通信データ９００は、サーバ装置１００から端末装置１００へ送信される通信データである。通信データ９００は、ヘッダー領域９１０およびデータ領域９２０を含む。データ領域９２０には、端末装置１００で使用されるアプリケーションデータが格納される。ヘッダー領域９１０には、当該通信データ９００の送信先のアドレス、データ領域９２０のデータ長など、当該通信データ９００の制御データが格納される。通信データ９００には、コンテンツ９３０およびメッセージ９４０が格納されている。コンテンツ９３０は、端末装置１００において再生されるコンテンツである。メッセージ９４０は、端末装置１００が通信回線を切り替えた後に、端末装置１００において表示されるメッセージである。たとえば、図９に示す例では、コンテンツ９３０は、データ領域９２０に格納される。また、メッセージ９４０は、ヘッダー領域９１０の空き領域９１０Ａに格納されている。このように、メッセージをヘッダー領域の空き領域に格納することにより、既存の通信データのフォーマットを変更することなく、また、通信データの通信機能を損なうことなく、コンテンツに対応付けてメッセージを送信することができる。
【００５５】
また、端末装置１００において、利用者がＷＥＢページ上のリンクを指定することで、そのリンクに対応付けられているコンテンツを要求する場合がある。このとき、サーバ装置１１０は、そのＷＥＢページ上の、コンテンツへアクセスするためのリンクにメッセージを埋め込んでおき、端末装置１００がそのリンクを用いてコンテンツをアクセスするときに、リンクに埋め込まれていたメッセージを、ダウンロードするコンテンツに対してサーバ装置１１０が指定したメッセージと特定してこれを取得しておいてもよい。このようにすれば、コンテンツのダウンロード開始前に端末装置１００が確実にメッセージを取得することができる。
【００５６】
（変形例３）
上記実施形態では、コンテンツ受信部３０６は、通信回線の切り替え後の３Ｇ回線１２４でダウンロードを継続するかを、端末装置１００の利用者に選択させることなく、強制的に通信回線の切り替え後の３Ｇ回線１２４でダウンロードを継続していた。コンテンツ受信部３０６は、このように強制的に通信回線の切り替え後の３Ｇ回線１２４でダウンロードを継続するのではなく、通信回線の切り替え後の３Ｇ回線１２４でダウンロードを継続するか中止するかを、端末装置１００の利用者に選択させてもよい。この場合、通信回線の切り替え後の３Ｇ回線１２４でダウンロードを継続すると利用者によって選択されると、コンテンツ受信部３０６は、通信回線の切り替え後の３Ｇ回線１２４でダウンロードを継続する一方、通信回線の切り替え後の３Ｇ回線１２４でのダウンロードを中止する、と選択された場合には、通信回線の切り替え後の３Ｇ回線１２４でのダウンロードを中止する。
【００５７】
図１０は、端末装置１００によるメッセージの他の表示例を示す。図１０に示す例では、端末装置１００においては、判断部３１２によって、ダウンロードに利用する通信回線が３Ｇ回線１２４に切り替えられたと判断されている。この例では、図６の例と異なり、端末装置１００においては、通信回線の切り替え後の３Ｇ回線１２４でのダウンロードを継続するか中止するかを、端末装置１００の利用者に選択させる設定がなされている。このため、端末装置１００のディスプレイには、通知部３１４の制御により、画面６００に重ねて、３Ｇ回線１２４でのダウンロードを継続するか中止するかの選択を促すメッセージとして「３Ｇ回線でのダウンロードを継続しますか？」と、３Ｇ回線１２４でのダウンロードを継続するか中止するかの選択を入力させるためのボタン「はい」および「いいえ」とが示されている子画面１０００が表示されている。たとえば、子画面１０００において「はい」が選択された場合、端末装置１００は、３Ｇ回線１２４でのダウンロードを継続する。一方、子画面１０００において「いいえ」が選択された場合、端末装置１００は、３Ｇ回線１２４でのダウンロードを中止する。
【００５８】
（変形例４）
ダウンロードに利用する通信回線が３Ｇ回線１２４に切り替えられたと判断部３１２が判断した場合、コンテンツ受信部３０６は、通信回線の切り替え後の３Ｇ回線１２４でのダウンロードを中止してもよい。この場合、コンテンツ受信部３０６は、通信回線の切り替え後の３Ｇ回線１２４でのダウンロードを中止するか否かを選択させることなく、強制的にダウンロードを中止してもよい。また、コンテンツ受信部３０６は、予めおこなわれている設定に基づいて、または利用者に選択させることにより、ダウンロードを中止するか否かを判断し、ダウンロードを中止する、と判断した場合にはダウンロードを中止し、ダウンロードを中止しない、と判断した場合にはダウンロードに利用する通信回線を３Ｇ回線１２４に切り替え、ダウンロードを継続してもよい。端末装置１００は、このようにしてダウンロードが中止された場合であっても、利用者がダウンロードを再開する操作を行うと、通信回線の切り替え後の３Ｇ回線１２４でのダウンロードを再開してもよい。
【００５９】
図１１は、端末装置１００によるメッセージの他の表示例を示す。図１１に示す例では、端末装置１００においては、判断部３１２によって、ダウンロードに利用する通信回線が３Ｇ回線１２４に切り替えられたと判断されている。この例では、図６および図１０の例と異なり、端末装置１００においては、通信回線の切り替え後の３Ｇ回線１２４でのダウンロードを継続せず、強制的にダウンロードを中止する設定がなされている。このため、端末装置１００のディスプレイには、通知部３１４の制御により、画面６００に重ねて、強制的にダウンロードを中止する旨のメッセージ「ダウンロードを中止します。」が示されている子画面１１００が表示されている。端末装置１００は、上記メッセージを表示した後、ダウンロードを強制的に中止する。
【００６０】
（変形例５）
実施形態では、サーバ装置１１０がコンテンツにメッセージを埋め込んで無端端末装置１００に送信することで、通信回線の切替時に利用者に通知するメッセージを指定していたが、メッセージの指定はこの方法に限らない。例えば、端末装置１００の格納部３０８は、コンテンツに対応付けられたメッセージを予め格納しておいてもよい。この場合、サーバ装置１１０のコンテンツ送信制御部２０４は、表示させたいメッセージの識別情報を、送信対象のコンテンツに対応付けて送信することで、ダウンロード対象のコンテンツに対してメッセージを指定する。これに応じて、端末装置１００の通知部３１４は、ダウンロード中のコンテンツに対応付けられてサーバ装置１１０から送信された識別情報に基づいて、ダウンロード中のコンテンツに対応付けられたメッセージを格納部３０８から読み取り、読み取ったメッセージを端末装置１００の利用者に通知する。たとえば、コンテンツ送信制御部２０４は、コンテンツの空き領域に識別情報を埋め込んで、コンテンツと識別情報とを同時に送信してもよい。他の例として、コンテンツ送信制御部２０４は、コンテンツと識別情報とを別々に送信してもよい。コンテンツ送信制御部２０４は、少なくともコンテンツと識別情報とを対応付けて送信すればよく、上記以外の方法によってコンテンツおよび識別情報を送信してもよい。
【００６１】
図１２は、格納部３０８に格納されているメッセージの一例を示す。図１２に示すテーブル１１００は、格納部３０８に格納されているデータベース・テーブルである。たとえば、テーブル１２００は、端末装置１００の製品の出荷時に、予め格納部３０８に格納されていてもよいし、サーバ装置１１０からコンテンツのダウンロード前に端末装置１００に送信されてこの格納部３０８に格納されたものであってもよい。テーブル１２００は、項目「ＩＤ」および項目「メッセージ」を有する。項目「ＩＤ」には、メッセージを一意に識別するための識別番号が格納される。項目「メッセージ」には、項目「ＩＤ」に格納されている識別番号に対応付けて、メッセージが格納される。たとえば、テーブル１２００において、識別番号「ＭＳＧ０００１」には、メッセージ「通信回線が３Ｇ回線に切り替わりました。」が対応付けられて格納されている。また、識別番号「ＭＳＧ０００２」には、メッセージ「通信回線を３Ｇ回線に切り替えますか？」が対応付けられて格納されている。また、識別番号「ＭＳＧ０００３」には、メッセージ「ダウンロードを中止します。」が対応付けられて格納されている。このように格納部３０８にメッセージが格納されている場合、サーバ装置１１０は、表示させたいメッセージの代わりに、表示させたいメッセージの識別番号を、コンテンツに対応付けて送信する。端末装置１００の通知部３１４は、サーバ装置１１０から送信された識別番号に対応付けられているメッセージを格納部３０８から抽出し、抽出したメッセージを表示することで、結果的に、サーバ装置１１０が表示させたいメッセージを表示することができる。
【００６２】
（変形例６）
本実施形態においては、第１の通信回線としてのＬＴＥ回線１２２から第２の通信回線としての３Ｇ回線１２４へ切り替えられた場合について説明したが、３Ｇ回線１２４からＬＴＥ回線１２２へ切り替えられた場合についても、端末装置１００およびサーバ装置１１０を実施形態と同様に動作させてもよい。この場合、３Ｇ回線１２４が切り替え前の第１の通信回線に相当し、ＬＴＥ回線１２２が切り替え後の第２の通信回線に相当する。サーバー１１０は、端末装置１００の利用者に通知するメッセージと併せて、ＬＴＥ回線１２４でコンテンツをダウンロードするためのリンクを、端末装置１００へ予め送信しておいてもよい。そして、端末装置１００は、３Ｇ回線１２４からＬＴＥ回線１２４に切り替えられた場合、上記リンクを表示して、ＬＴＥ回線１２４でコンテンツをダウンロードするか否かを端末装置１００の利用者に選択させてもよい。
【００６３】
（変形例７）
本実施形態においては、第１の通信回線の一例としてＬＴＥ回線１２２を用い、第２の通信回線の一例として３Ｇ回線１２４を用いて説明したが、これに限らない。すなわち、第１の通信回線は、ＬＴＥ回線１２２以外の通信回線であってもよい。また、第２の通信回線は、３Ｇ回線１２４以外の通信回線であってもよい。なお、第１の通信回線および第２の通信回線は、いずれも無線通信回線に限らず、ＡＤＳＬ（Asymmetric Digital Subscriber Line）や光ファイバー通信などの有線通信回線などであってもよい。
【００６４】
（変形例８）
サーバ装置１１０は、メッセージに加えて、通信回線の切り替え時の動作命令を、コンテンツに対応付けて端末装置１００へ送信してもよい。たとえば、サーバ装置１１０は、通信回線の切り替えを強制的におこなう、利用者に選択させる、ダウンロードを強制的に中止する、などの動作命令を、端末装置１００へ送信してもよい。これに応じて、端末装置１００は、サーバ装置１１０から送信された動作命令にしたがって、通信回線の切り替え時の動作をおこなう。
【００６５】
（変形例９）
通信システム１０は、各通信回線における、各端末装置の優先度を管理する管理装置を有してもよい。この場合、たとえば管理装置は、コンテンツのダウンロードが３Ｇ回線１２４に切り替えられた端末装置１００の優先度を高め、この端末装置１００の３Ｇ回線１２４での帯域幅を一時的に広げてもよい。これに応じて、端末装置１００は、コンテンツのダウンロードが３Ｇ回線１２４に切り替えられた場合に、３Ｇ回線１２４での優先度を高める旨の要求を、管理装置へ送信する機能を有してもよい。帯域幅が広げられると、端末装置１００の通信速度が速くなるため、通信速度が速いＬＴＥ回線１２２から通信速度が遅い３Ｇ回線１２４に切り替えられたとしても、コンテンツのダウンロードに要する時間の増加を抑えることができる。
【００６６】
（変形例１０）
コンテンツ受信部３０６は、通信回線を３Ｇ回線１２４に切り替えた後、コンテンツの残りの部分をダウンロードすることとしたが、コンテンツのダウンロードを最初からやり直してもよい。端末装置１００は、コンテンツの残りの部分をダウンロードするか、コンテンツのダウンロードを最初からやり直すかを、端末装置１００の利用者に選択させてもよく、予めおこなわれている設定に基づいて自動的に決定してもよい。
【００６７】
（変形例１１）
サーバ装置１１０は、一のコンテンツについて、ＬＴＥ回線１２２用の大容量のコンテンツと、３Ｇ回線１２４用の低容量のコンテンツとをそれぞれ格納してもよい。そして、サーバ装置１１０は、ＬＴＥ回線１２２を通じて、コンテンツが要求された場合、ＬＴＥ回線１２２用のコンテンツを送信してもよい。また、３Ｇ回線１２４を通じて、コンテンツが要求された場合、３Ｇ回線１２４用のコンテンツを送信してもよい。
【００６８】
端末装置１００においてコンテンツのダウンロードが３Ｇ回線１２４に切り替えられた場合、端末装置１００は、コンテンツの残りの部分を３Ｇ回線１２４用のコンテンツでダウンロードしてもよい。端末装置１００は、コンテンツの残りの部分を３Ｇ回線１２４のコンテンツでダウンロードするか、ＬＴＥ回線１２２用のコンテンツでダウンロードするかを、端末装置１００の利用者に選択させてもよく、予めおこなわれている設定に基づいて自動的に決定してもよい。
【００６９】
端末装置１００においてコンテンツのダウンロードが３Ｇ回線１２４に切り替えられた場合、端末装置１００は、３Ｇ回線１２４用のコンテンツでコンテンツのダウンロードを最初からやり直してもよい。端末装置１００は、３Ｇ回線１２４のコンテンツでコンテンツのダウンロードを最初からやり直すか、ＬＴＥ回線１２２用のコンテンツでコンテンツのダウンロードを最初からやり直すかを、端末装置１００の利用者に選択させてもよく、予めおこなわれている設定に基づいて自動的に決定してもよい。
【符号の説明】
【００７０】
１０…通信システム、１００…端末装置、１１０…サーバ装置、１２２…ＬＴＥ回線、１２４…３Ｇ回線、１３２…基地局、１３４…基地局、２０２…格納部、２０４…コンテンツ送信制御部、２０６…第３通信部、２０８…第４通信部、３０２…第１通信部、３０４…第２通信部、３０６…コンテンツ受信部、３０８…格納部、３１０…コンテンツ再生部、３１２…判断部、３１４…通知部
【図１】
0005520689.tif 000002
【図２】
0005520689.tif 000003
【図３】
0005520689.tif 000004
【図４】
0005520689.tif 000005
【図５】
0005520689.tif 000006
【図６】
0005520689.tif 000007
【図７】
0005520689.tif 000008
【図８】
0005520689.tif 000009
【図９】
0005520689.tif 000010
【図１０】
0005520689.tif 000011
【図１１】
0005520689.tif 000012
【図１２】
0005520689.tif 000013